(57)【要約】【課題】  トラフィックの著しい変化に効率良く対応できる機能を備え、ＡＤＭシステムにおける伝送容量増減速の作業効率化、管理の容易化を実現したＡＤＭ装置および信号伝送方法を提供すること。【解決手段】  第１の通信ネットワークを構成し、第２の通信ネットワークに接続した他のＡＤＭ装置と接続した、ＬＣＡＳ機能実行可能なＡＤＭ装置であって、上記他のＡＤＭ装置とＳＤＨ接続するためのＳＤＨインタフェースと、上記ＳＤＨインタフェースにおいて、ＰＯＨのＨ４バイトを監視するＨ４バイト監視手段と、上記Ｈ４バイト監視手段によって監視したＨ４バイトからＬＣＡＳ制御情報を取得するＬＣＡＳ制御情報取得手段と、上記ＬＣＡＳ制御情報取得手段によって取得したＬＣＡＳ制御情報を上記他のＡＤＭ装置へ送信するＬＣＡＳ制御情報送信手段とを備える。【選択図】図１
2006262237.tif 000002
【特許請求の範囲】
【請求項１】
第１の通信ネットワークを構成し、第２の通信ネットワークに接続した他のＡＤＭ装置と接続した、ＬＣＡＳ（Link Capacity Adjustment Scheme）機能実行可能なＡＤＭ装置であって、
前記他のＡＤＭ装置とＳＯＮＥＴまたはＳＤＨ接続するためのＳＯＮＥＴまたはＳＤＨインタフェースと、
前記ＳＯＮＥＴまたはＳＤＨインタフェースにおいて、ＰＯＨ（Path Over Head）のＨ４バイトを監視するＨ４バイト監視手段と、
前記Ｈ４バイト監視手段によって監視したＨ４バイトからＬＣＡＳ制御情報を取得するＬＣＡＳ制御情報取得手段と、
前記ＬＣＡＳ制御情報取得手段によって取得したＬＣＡＳ制御情報を前記他のＡＤＭ装置へ送信するＬＣＡＳ制御情報送信手段と、
を備えることを特徴とするＡＤＭ装置。
【請求項２】
第１の通信ネットワークを構成し、第２の通信ネットワークに接続した他のＡＤＭ装置と接続した、ＬＣＡＳ機能実行可能なＡＤＭ装置であって、
前記他のＡＤＭ装置とイーサネット（登録商標）接続するためのイーサネット（登録商標）インタフェースと、
前記イーサネット（登録商標）インタフェースにおいて、前記他のＡＤＭ装置から送信されたＨ４バイト内のＬＣＡＳ制御情報を終端した後、前記ＬＣＡＳ制御情報を前記他のＡＤＭ装置へ転送するＬＣＡＳ制御情報転送手段と、
を備えることを特徴とするＡＤＭ装置。
【請求項３】
前記ＬＣＡＳ制御情報は、前記第１のネットワークおよび前記第２のネットワークを構成する前記他のＡＤＭ装置および前記ＡＤＭ装置のうち、始点となるＡＤＭ装置を特定するための始点装置ＩＤおよび終点となるＡＤＭ装置を特定するための終点装置ＩＤを含むことを特徴とする請求項１または２に記載のＡＤＭ装置。
【請求項４】
第１の通信ネットワークを構成し、第２の通信ネットワークに接続した他のＡＤＭ装置と接続した、ＬＣＡＳ機能実行可能なＡＤＭ装置において実行される信号伝送方法であって、
前記他のＡＤＭ装置とＳＤＨ接続するためのＳＤＨインタフェースにおいて、ＰＯＨのＨ４バイトを監視し、
前記監視したＨ４バイトからＬＣＡＳ制御情報を取得し、
前記取得したＬＣＡＳ制御情報を前記他のＡＤＭ装置へ送信することを特徴とする信号伝送方法。
【請求項５】
第１の通信ネットワークを構成し、第２の通信ネットワークに接続した他のＡＤＭ装置と接続した、ＬＣＡＳ機能実行可能なＡＤＭ装置において実行される信号伝送方法であって、
前記他のＡＤＭ装置とイーサネット（登録商標）接続するためのイーサネット（登録商標）インタフェースにおいて、前記他のＡＤＭ装置から送信されたＨ４バイト内のＬＣＡＳ制御情報を終端した後、前記ＬＣＡＳ制御情報を前記他のＡＤＭ装置へ転送することを特徴とする信号伝送方法。
【発明の詳細な説明】
【技術分野】
【０００１】
本発明は、ＡＤＭ（Add Drop Multiplexing）装置をＳＯＮＥＴ（Synchronous Optical NETwork）、ＳＤＨ（Synchronous Digital Hierarchy）やイーサネット（登録商標）により多段接続したＡＤＭシステムに関する。
【背景技術】
【０００２】
従来のＳＯＮＥＴ／ＳＤＨを用いたＡＤＭシステムは、収容局の階層化や遠距離中継する場合に多段中継されるが、パスの増減速を行なう際に、中継区間毎に管理する作業が発生する。近年、企業向けＬ２サービス（レイヤ２で拠点間を接続するサービス）やＡＤＳＬの普及に伴い、イーサネット（登録商標）トラフィックをＡＤＭシステムにて伝送するシステムが構築されている。さらに、今後のＦＴＴＨ（Fiber To The Home）の普及により、ＡＤＭシステムへのイーサネット（登録商標）トラフィック収容は急増すると予測される。
【０００３】
ＡＤＭシステムは、一般的にＳＯＮＥＴまたはＳＤＨを用いて構築されるが、以下では説明の簡略化ため、ＳＤＨについて述べるが、ＳＯＮＥＴにおいても同様である。
パスの増減速を行なう機能として、リンク容量調整体系（ＬＣＡＳ：Link Capacity Adjustment Scheme）機能があり、このＬＣＡＳ機能を用いて、対向装置と連動した中継パス帯域の増減速を行なうＡＤＭシステムも開示されている。
【０００４】
図７は、従来のＡＤＭシステムにおけるＬＣＡＳ機能の動作状況を説明するための図である。
図７において、パターン１は、イーサネット（登録商標）信号同士の対向で、かつ単一区間内に閉じた場合を示し、パターン２は、イーサネット（登録商標）にて中継接続するケースを示し、パターン３は、ＳＤＨにて中継接続するケースを示す。
【０００５】
これら３パターンのうち、ＡＤＭシステムにおけるＬＣＡＳ機能の動作が可能なのはパターン１でのみである。パターン１では、ＬＣＡＳ制御情報の伝達をＡＤＭ区間内においてＰＯＨ（Path Over Head）中のＨ４バイト領域内の制御コードの送受信にて行っている。
【０００６】
そして、実際のシステムでは、パターン２やパターン３のようにＡＤＭシステムを多段中継し、信号を伝送する構成が多い。
また、リングネットワークが正常な場合には、ＬＣＡＳ機能によりワーキングチャネルとプロテクションチャネルを用いてワーキングトラフィックを伝送し、障害が存在する場合には、プロテクション機能と連動させて障害発生箇所を回避する技術が開示されている（例えば、特許文献１参照。）。
【特許文献１】特開２００２−３５９６２７号公報
【発明の開示】
【発明が解決しようとする課題】
【０００７】
しかしながら、上述のパターン２の場合、中継接続するイーサネット（登録商標）インタフェースではＰＯＨがリング内で終端されるため、ＡＤＭ区間で送受信しているＨ４バイトをイーサネット（登録商標）中継接続区間（図７中＊１）にて中継することができないため、複数ＡＤＭシステム間を連動してend-to-endでＬＣＡＳ機能を動作させることができないという問題点があった。
【０００８】
また、パターン３の場合、中継接続に使用しているＳＤＨインタフェース（図７中＊２）においてＨ４バイトを中継はしているが、Ｈ４バイトをモニタ、制御する仕組みが無いため、end-to-endでＬＣＡＳ機能を動作させることができないという問題点があった。
【０００９】
パターン２およびパターン３においてＬＣＡＳ機能を動作不可能としている要因は以下のとおりである。
（１）中継接続するイーサネット（登録商標）インタフェースではＡＤＭ区間で送受信しているＨ４バイトをイーサネット（登録商標）中継接続区間に中継することができないため、複数ＡＤＭシステム間を連動してＬＣＡＳ機能を動作させることができない。
（２）ＳＤＨインタフェースにおいてＨ４バイトを中継はしているが、Ｈ４バイトをモニタ、制御する仕組みが無いため、ＬＣＡＳ機能を動作させることができない。
【００１０】
従って、パターン２およびパターン３において中継パス帯域の増減速を行なう場合は、運用者が装置毎または区間毎にマニュアル操作にてパスを設定しなければならず、作業効率が悪くなっていた。これは運用コストの増加の要因ともなっていた。
【００１１】
本発明は、上記事情に鑑みてなされたもので、トラフィックの著しい変化に効率良く対応できる機能を備え、ＡＤＭシステムにおける伝送容量増減速の作業効率化、管理の容易化を実現したＡＤＭ装置および信号伝送方法を提供することを目的とする。
【課題を解決するための手段】
【００１２】
本発明は、上記課題を解決するため、下記のような構成を採用した。
すなわち、本発明の一態様によれば、本発明のＡＤＭ装置は、第１の通信ネットワークを構成し、第２の通信ネットワークに接続した他のＡＤＭ装置と接続した、ＬＣＡＳ機能実行可能なＡＤＭ装置であって、上記他のＡＤＭ装置とＳＯＮＥＴまたはＳＤＨ接続するためのＳＯＮＥＴまたはＳＤＨインタフェースと、上記ＳＯＮＥＴまたはＳＤＨインタフェースにおいて、ＰＯＨのＨ４バイトを監視するＨ４バイト監視手段と、上記Ｈ４バイト監視手段によって監視したＨ４バイトからＬＣＡＳ制御情報を取得するＬＣＡＳ制御情報取得手段と、上記ＬＣＡＳ制御情報取得手段によって取得したＬＣＡＳ制御情報を上記他のＡＤＭ装置へ送信するＬＣＡＳ制御情報送信手段とを備えることを特徴とする。
【００１３】
また、本発明の一態様によれば、本発明のＡＤＭ装置は、第１の通信ネットワークを構成し、第２の通信ネットワークに接続した他のＡＤＭ装置と接続した、ＬＣＡＳ機能実行可能なＡＤＭ装置であって、上記他のＡＤＭ装置とイーサネット（登録商標）接続するためのイーサネット（登録商標）インタフェースと、上記イーサネット（登録商標）インタフェースにおいて、上記他のＡＤＭ装置から送信されたＨ４バイト内のＬＣＡＳ制御情報を終端した後、上記ＬＣＡＳ制御情報を上記他のＡＤＭ装置へ転送するＬＣＡＳ制御情報転送手段とを備えることを特徴とする。
【００１４】
また、本発明のＡＤＭ装置は、上記ＬＣＡＳ制御情報が、上記第１のネットワークおよび上記第２のネットワークを構成する上記他のＡＤＭ装置および上記ＡＤＭ装置のうち、始点となるＡＤＭ装置を特定するための始点装置ＩＤおよび終点となるＡＤＭ装置を特定するための終点装置ＩＤを含むことが望ましい。
【００１５】
また、本発明の一態様によれば、本発明の信号伝送方法は、第１の通信ネットワークを構成し、第２の通信ネットワークに接続した他のＡＤＭ装置と接続した、ＬＣＡＳ機能実行可能なＡＤＭ装置において実行される信号伝送方法であって、上記他のＡＤＭ装置とＳＤＨ接続するためのＳＤＨインタフェースにおいて、ＰＯＨのＨ４バイトを監視し、上記監視したＨ４バイトからＬＣＡＳ制御情報を取得し、上記取得したＬＣＡＳ制御情報を上記他のＡＤＭ装置へ送信することを特徴とする。
【００１６】
また、本発明の一態様によれば、本発明の信号伝送方法は、第１の通信ネットワークを構成し、第２の通信ネットワークに接続した他のＡＤＭ装置と接続した、ＬＣＡＳ機能実行可能なＡＤＭ装置において実行される信号伝送方法であって、上記他のＡＤＭ装置とイーサネット（登録商標）接続するためのイーサネット（登録商標）インタフェースにおいて、上記他のＡＤＭ装置から送信されたＨ４バイト内のＬＣＡＳ制御情報を終端した後、上記ＬＣＡＳ制御情報を上記他のＡＤＭ装置へ転送することを特徴とする。
【発明の効果】
【００１７】
本発明によれば、ＡＤＭシステムの構成が複雑となった場合でも、end-to-endのパス管理を容易に行なうことが可能となる。
また、本発明によれば、複数システムにまたがった中継パス帯域の増減速の作業が一度の操作で可能となるため、作業効率を大幅に向上することが可能となる。
【００１８】
また、本発明によれば、ＳＯＮＥＴまたはＳＤＨによる多段接続時にもＬＣＡＳ機能が可能となるため、従来イーサネット（登録商標）で多段接続していた区間をＳＯＮＥＴまたはＳＤＨ化することが可能となり、遅延の減少や、信頼性の向上ができる。
【発明を実施するための最良の形態】
【００１９】
以下の説明において、ＳＤＨによるシステムへの適用例を示しているが、ＳＤＨをＳＯＮＥＴに置換えることが可能であり、本発明は同様に適用可能である。
本発明の特徴の１つは、第１の通信ネットワークを構成する第１のＡＤＭ装置と第２の通信ネットワークを構成する第２のＡＤＭ装置とが相互に通信可能に接続することにより構築された多段接続のＡＤＭシステムにおいて、これら２つの通信ネットワークを接続しているＳＯＮＥＴ、ＳＤＨやイーサネット（登録商標）での中継時に、end-to-endにてＬＣＡＳ機能を動作させることである。
【００２０】
これを実現させるためには、第１の通信ネットワークを構成し、第２の通信ネットワークに接続した他のＡＤＭ装置と接続した、ＬＣＡＳ機能実行可能なＡＤＭ装置のＳＤＨ（またはＳＯＮＥＴ）インタフェースにおいて、ＰＯＨのＨ４バイトをモニタしてＬＣＡＳ制御情報を取得する機能を有することが必要である。これにより、ＳＤＨ（またはＳＯＮＥＴ）インタフェースにてＬＣＡＳ制御情報を取得することが可能となり、イーサネット（登録商標）〜ＳＤＨ（またはＳＯＮＥＴ）対向時、および、ＳＤＨ〜ＳＤＨ（またはＳＯＮＥＴ〜ＳＯＮＥＴ）対向時のＬＣＡＳ機能を動作させることが可能となる。この際、ＳＤＨ（またはＳＯＮＥＴ）インタフェースにおいてＬＣＡＳ機能のＯＮ／ＯＦＦ機能を具備することにより、従来のＳＤＨ（またはＳＯＮＥＴ）インタフェースとの対向時はＬＣＡＳ機能を動作させないことが可能となる。
【００２１】
また、第１の通信ネットワークを構成し、第２の通信ネットワークに接続した他のＡＤＭ装置と接続した、ＬＣＡＳ機能実行可能なＡＤＭ装置のイーサネット（登録商標）インタフェースにおいて、多段接続時に他のＡＤＭ装置側から受信したＨ４バイト内のＬＣＡＳ制御情報を終端した後、イーサネット（登録商標）多段中継側に転送する機能を具備することにより、イーサネット（登録商標）による多段中継時においてend-to-endのＬＣＡＳ機能を動作することが可能となる。
【００２２】
さらに、ＬＣＡＳ制御情報内に始点および終点のＡＤＭ装置の装置ＩＤを付与して伝送する機能を具備することにより、多段接続時における始点のＡＤＭ装置、終点のＡＤＭ装置を通信ネットワークを構成する各ＡＤＭ装置が認識することが可能となり、中継するＡＤＭ装置も含めたend-to-endのＬＣＡＳ機能を動作させることが可能となる。
【００２３】
以下、図面に基づいて本発明を適用した実施の形態を説明する。
図１は、本発明を適用した第１の実施の形態におけるＡＤＭ装置の構成を示す図である。
【００２４】
図１において、ＡＤＭ装置１００は、ＳＴＭ処理部１１１とＶＣパス処理部１１２とを備えるＳＤＨ信号処理部１１０、クロスコネクト部１２０、中継パス（ＶＣＡＴ：Virtual. Concatenation）制御部１３１とイーサネット（登録商標）信号送受信部１３２とを備えるイーサネット（登録商標）信号処理部１３０、第１の制御情報送受信部１４１と第１の制御情報解析部１４２とＬＣＡＳ制御部１４３と第２の制御情報送受信部１４４と第２の制御情報解析部１４５とを備えるＬＣＡＳ処理部１４０、および監視制御部１５０を備えている。また、上記ＡＤＭ装置１００は、他のＡＤＭ装置と接続することにより通信ネットワークを構成するとともに、他の通信ネットワークとイーサネット（登録商標）接続することにより、多段接続のＡＤＭシステムを構成する。
【００２５】
第１の制御情報送受信部１４１は、上記他のＡＤＭ装置側から送信されＶＣパス処理部１１２から転送されてきたＨ４バイトを含むＰＯＨを受信し、第１の制御情報解析部１４２へ転送する機能と、ＬＣＡＳ制御部１４３からの指令に従ってＨ４バイトを含むＰＯＨをＶＣパス処理部１１２へ転送する機能とを有している。
【００２６】
第１の制御情報解析部１４０は、上記第１の制御情報送受信部１４１から受信したＨ４バイト内のＬＣＡＳ制御情報に基づいて、上記ＡＤＭシステム内で自装置（ＡＤＭ装置１００）が終点のＡＤＭ装置であるのか中継を行なうＡＤＭ装置であるのかを判定すること、およびＶＣＡＴの変更速度を認識すること、制御内容（パス状態チェック（IDLE）、パス追加（ADD））の判定を行なうことの解析を行なう機能と、解析した結果をＬＣＡＳ制御部１４３へ転送する機能とを有している。
【００２７】
ＬＣＡＳ制御部１４３は、第１の制御情報解析部１４０から転送されてきた解析結果に従って、クロスコネクト部１２０に対してパスの設定を制御するように指令すること、中継パス（ＶＣＡＴ）制御部１３１に対してパスの設定を制御するように指令すること、第１の制御情報送受信部１４１に対してＨ４バイトを含むＰＯＨを送信するように指令すること、第２の制御情報送受信部１４２に対してＬＣＡＳ制御情報を送信するように指令すること、の指令を送信する機能を有している。
【００２８】
また、上記ＬＣＡＳ制御部１４３は、ネットワークマネージメントシステム３００からの制御に従って、始点となるＡＤＭ装置および終点となるＡＤＭ装置の解析および変更する通信速度の解析を実行するとともに、解析した結果に基づいて第２の制御情報送受信部１４２に対するＬＣＡＳ制御情報の送信指令を行なう。
【００２９】
第２の制御情報送受信部１４４は、イーサネット（登録商標）側から受信し転送されてきたＬＣＡＳ制御情報を受信し、第２の制御情報解析部１４５へ転送する機能と、ＬＣＡＳ制御部１４３からの指令に従ってＬＣＡＳ制御情報をイーサネット（登録商標）パケット化し、イーサネット（登録商標）信号送受信部１３２へ転送する機能とを有している。
【００３０】
第２の制御情報解析部１４５は、第２の制御情報送受信部１４４から受信したＨ４バイト内のＬＣＡＳ制御情報に基づいて、自装置（ＡＤＭ装置１００）が終点のＡＤＭ装置であるのか中継を行なうＡＤＭ装置であるのかを判定すること、およびＶＣＡＴの変更速度を認識すること、制御内容（パス状態チェック（IDLE）、パス追加（ADD））の判定を行なうことの解析を行なう機能と、解析した結果をＬＣＡＳ制御部１４３へ転送する機能とを有している。
【００３１】
図２は、本発明を適用した第２の実施の形態におけるＡＤＭ装置の構成を示す図である。
図２において、ＡＤＭ装置２００は、ＳＴＭ処理部２１１とＶＣパス処理部２１２とを備えるＳＤＨ信号処理部２１０、クロスコネクト部２２０、ＶＣパス処理部２３１とＳＴＭ処理部２３２とを備えるＳＤＨ信号処理部２３０、第１の制御情報送受信部２４１と第１の制御情報解析部２４２とＬＣＡＳ制御部２４３と第２の制御情報送受信部２４４と第２の制御情報解析部２４５とを備えるＬＣＡＳ処理部２４０、および監視制御部２５０を備えている。また、上記ＡＤＭ装置２００は、他のＡＤＭ装置と接続することにより通信ネットワークを構成するとともに、他の通信ネットワークとＳＤＨ接続することにより、多段接続のＡＤＭシステムを構成する。
【００３２】
第１の制御情報送受信部２４１は、上記他のＡＤＭ装置側から送信されＶＣパス処理部２１２から転送されてきたＨ４バイトを含むＰＯＨを受信し、第１の制御情報解析部２４２へ転送する機能と、ＬＣＡＳ制御部２４３からの指令に従ってＨ４バイトを含むＰＯＨをＶＣパス処理部２１２へ転送する機能とを有している。
【００３３】
第１の制御情報解析部２４０は、上記第１の制御情報送受信部２４１から受信したＨ４バイト内のＬＣＡＳ制御情報に基づいて、上記ＡＤＭシステム内で自装置（ＡＤＭ装置２００）が終点のＡＤＭ装置であるのか中継を行なうＡＤＭ装置であるのかを判定すること、およびＶＣＡＴの変更速度を認識すること、制御内容（パス状態チェック（IDLE）、パス追加（ADD））の判定を行なうことの解析を行なう機能と、解析した結果をＬＣＡＳ制御部２４３へ転送する機能とを有している。
【００３４】
ＬＣＡＳ制御部２４３は、第１の制御情報解析部２４０から転送されてきた解析結果に従って、クロスコネクト部２２０に対してパスの設定を制御するように指令すること、第１の制御情報送受信部２４１に対してＨ４バイトを含むＰＯＨを送信するように指令すること、第２の制御情報送受信部２４２に対してＨ４バイトを含むＰＯＨを送信するように指令すること、の指令を送信する機能を有している。
【００３５】
また、上記ＬＣＡＳ制御部２４３は、ネットワークマネージメントシステム３００からの制御に従って、始点となるＡＤＭ装置および終点となるＡＤＭ装置の解析および変更する通信速度の解析を実行するとともに、解析した結果に基づいて第２の制御情報送受信部２４２に対するＬＣＡＳ制御情報の送信指令を行なう。
【００３６】
第２の制御情報送受信部２４４は、ＳＤＨ側から受信しＶＣパス処理部２３１から転送されてきたＨ４バイトを含むＰＯＨを受信し、第２の制御情報解析部２４５へ転送する機能と、ＬＣＡＳ制御部２４３からの指令に従ってＶＣパス処理部２３１へＨ４バイトを含むＰＯＨを転送する機能とを有している。
【００３７】
第２の制御情報解析部２４５は、第２の制御情報送受信部２４４から受信したＨ４バイト内のＬＣＡＳ制御情報に基づいて、自装置（ＡＤＭ装置２００）が終点のＡＤＭ装置であるのか中継を行なうＡＤＭ装置であるのかを判定すること、およびＶＣＡＴの変更速度を認識すること、制御内容（パス状態チェック（IDLE）、パス追加（ADD））の判定を行なうことの解析を行なう機能と、解析した結果をＬＣＡＳ制御部２４３へ転送する機能とを有している。
【００３８】
次に、上述のように構成されたＡＤＭ装置１００またはＡＤＭ装置２００と同様のＡＤＭ装置によって構成されたＡＤＭシステムにおける信号伝送処理について説明する。
図３は、本発明を適用した第１および第２の実施の形態における信号伝送処理のシーケンスを示す図である。
【００３９】
ここで、説明するＡＤＭシステムは、ＡＤＭ装置１００またはＡＤＭ装置２００と同様のＡＤＭ装置としてのノード４０１、４０２、４０３および４０４により構成され、ノード４０１と４０２とにより形成された第１の通信ネットワークと、ノード４０３と４０４とにより形成された第２の通信ネットワークとが、イーサネット（登録商標）接続またはＳＤＨ接続され、ノード４０１が始点のＡＤＭ装置であり、ノード４０４が終点のＡＤＭ装置であるとする。
【００４０】
まず、操作者（オペレータ）がネットワークマネージメントシステム（ＮＭＳ）３００を操作することにより、ステップＳ３０１において、
ノード４０１に対して速度変更の制御を実施する。その制御情報には、速度変更するパスの始点と終点および変更する通信速度の情報を入れる。ここでは、始点のノード４０１を特定するための始点ＩＤ＝１、終点のノード４０４を特定するための終点ＩＤ＝４、および速度変更：ＶＣ４−３Ｖ→ＶＣ４−７Ｖを制御情報とする。
【００４１】
すると、ステップＳ３０２において、ネットワークマネージメントシステム（ＮＭＳ）３００からの制御を受信したノード４０１は、ＬＣＡＳ制御部１４３または２４３においてその制御内容を解析する。
【００４２】
そして、ステップＳ３０３において、ノード４０１は、ＡＤＭ接続によりノード４０１と第１のネットワークを形成しているノード４０２に対して、ステップＳ３０２で解析した結果をＨ４バイトにパス確認情報を入れて送信する。パス確認情報には、速度変更するパスの始点と終端点および変更する速度の情報である、始点ＩＤ＝１、終点ＩＤ＝４、速度変更：ＶＣ４−３Ｖ→ＶＣ４−７Ｖを入れる。また、ステップＳ３０４において、ノード４０２の第２の制御情報送受信部１４４は、クロスコネクト部１２０および中継パス（ＶＣＡＴ）制御部１２１へパスの状態（空き容量、故障有無）確認する。
【００４３】
ノード４０１からＨ４バイトを受信したノード４０２は、ステップＳ３０５において、第１の制御情報解析部１４１または２４１においてパス確認情報（空き容量、故障有無）を抽出し、内容の解析を行い、その解析結果をＬＣＡＳ制御部１４３または２４３へ送信する。ここで、解析結果とは、パス状態の確認指示であること、自分（ノード４０２）は中継ノードであること、通信速度をＶＣ４−３ＶからＶＣ４−７Ｖに変更することである。そして、ノード４０２のＬＣＡＳ制御部１４３または２４３では、上記解析結果に従って、第２の制御情報送受信部１４４または２４４に対して、ノード４０３へのパス確認情報を中継する。なお、ノード４０２のＬＣＡＳ制御部１４３では、上記解析結果に従って、例えばパケット化して転送するよう指令を行い、ＬＣＡＳ制御部２４３では、Ｈ４バイトにて転送するよう指令を行なう。さらに、ノード４０２の第２の制御情報送受信部１４４または２４４においては、ノード４０３に対してパス確認情報（空き容量、故障有無）の転送を行なう。
【００４４】
そして、ステップＳ３０６において、ノード４０２の第２の制御情報送受信部１４４は、クロスコネクト部１２０および中継パス（ＶＣＡＴ）制御部１２１へパスの状態（空き容量、故障有無）確認する。
【００４５】
ノード４０２からＨ４バイトを受信したノード４０３は、ステップＳ３０７において、第２の制御情報解析部１４５または２４５においてパス確認情報（空き容量、故障有無）を抽出し、内容の解析を行い、その解析結果をＬＣＡＳ制御部１４３または２４３へ送信する。ここで、解析結果とは、パス状態の確認指示であること、自分（ノード４０３）は中継ノードであること、通信速度をＶＣ４−３ＶからＶＣ４−７Ｖに変更することである。そして、ノード４０３のＬＣＡＳ制御部１４３または２４３では、上記解析結果に従って、第１の制御情報送受信部１４１または２４１に対して、ノード４０４へのパス確認情報を中継する。なお、ＬＣＡＳ制御部２４３では、Ｈ４バイトにて転送するよう指令を行なう。さらに、ノード４０３の第１の制御情報送受信部１４１または２４１においては、ノード４０４に対してパス確認情報（空き容量、故障有無）の転送を行なう。
【００４６】
そして、ステップＳ３０８において、ノード４０３の第２の制御情報送受信部１４４は、クロスコネクト部１２０および中継パス（ＶＣＡＴ）制御部１２１へパスの状態（空き容量、故障有無）確認する。
【００４７】
ノード４０３からＨ４バイトを受信したノード４０４は、ステップＳ３０９において、第２の制御情報解析部１４５または２４５においてパス確認情報（空き容量、故障有無）を抽出し、内容の解析を行い、その解析結果をＬＣＡＳ制御部１４３または２４３へ送信する。ここで、解析結果とは、パス状態の確認指示であること、自分（ノード４０４）は最終ノードであること、通信速度をＶＣ４−３ＶからＶＣ４−７Ｖに変更することである。そして、ノード４０４のＬＣＡＳ制御部１４３または２４３では、上記解析結果に従って、第１の制御情報送受信部１４１または２４１に対して、ノード４０３へのパス確認情報を中継する。また、ノード４０４のＬＣＡＳ制御部１４３または２４３は、確認したパス状態の結果の送信指示を第１の制御情報送受信部１４１または２４１に対して行なう。なお、ＬＣＡＳ制御部２４３では、Ｈ４バイトにて転送するよう指令を行なう。
【００４８】
そして、ステップＳ３１０において、ノード４０４の第２の制御情報送受信部１４４は、クロスコネクト部１２０および中継パス（ＶＣＡＴ）制御部１２１へパスの状態（空き容量、故障有無）確認する。
【００４９】
次に、ステップＳ３１１において、ノード４０３の第１の制御情報送受信部１４１または２４１においては、ノード４０３に対してパス状態の確認結果を転送する。
ノード４０４からＨ４バイトを受信したノード４０３は、ステップＳ３１２において、自装置（ノード４０３）のパス状態の確認結果を受信した確認結果に追加して、ノード４０２に転送する。なお、ノード４０４のＬＣＡＳ制御部１４３では、上記確認結果に従って、例えばパケット化して転送するよう指令を行い、ＬＣＡＳ制御部２４３では、Ｈ４バイトにて転送するよう指令を行なう。
【００５０】
ノード４０３からＨ４バイトまたはパケットを受信したノード４０２は、ステップＳ３１３において、自装置（ノード４０２）のパス状態確認結果を追加して、ノード４０１にＨ４バイトを転送する。
【００５１】
ノード４０２からＨ４バイトを受信したノード４０１は、第１の制御情報送受信部１４１または２４１においてパス確認情報を抽出し、第１の制御情報解析部１４２または２４２に転送し、ノード４０１の第１の制御情報解析部１４２または２４２は、ステップＳ３１４において、各ノード（ノード４０２、４０３および４０４）からのパス状態を確認し、正常か否かを判定する。
【００５２】
そして、ノード４０１の第１の制御情報解析部１４２または２４２からの判定結果が「正常」であると判断された場合、ステップＳ３１５において、ノード４０１のＬＣＡＳ制御部１４３または２４３は、第１の制御情報送受信部１４１または２４１に対して、Ｈ４バイトにパス設定情報を入れてノード４０２に送信するように指令する。パス確認情報には、速度変更するパスの始点と終端点および変更する速度の情報である、始点ＩＤ＝１、終点ＩＤ＝４、速度変更：ＶＣ４−３Ｖ→ＶＣ４−７Ｖを入れる。
【００５３】
ステップＳ３１６において、ノード４０２のＬＣＡＳ制御部１４３または２４３は、通信速度をＶＣ４−３ＶからＶＣ４−７Ｖに変更する。
ノード４０１からＨ４バイトを受信したノード４０２は、ステップＳ３１７において、第１の制御情報解析部１４１または２４１においてパス設定情報を抽出し、内容の解析を行い、その解析結果をＬＣＡＳ制御部１４３または２４３へ送信する。ここで、解析結果とは、パス状態の設定指示であること、自分（ノード４０２）は中継ノードであること、通信速度をＶＣ４−３ＶからＶＣ４−７Ｖに変更することである。そして、ノード４０２のＬＣＡＳ制御部１４３または２４３では、上記解析結果に従って、第２の制御情報送受信部１４４または２４４に対して、ノード４０３へのパス設定情報を中継する。なお、ノード４０２のＬＣＡＳ制御部１４３では、上記解析結果に従って、例えばパケット化して転送するよう指令を行い、ＬＣＡＳ制御部２４３では、Ｈ４バイトにて転送するよう指令を行なう。さらに、ノード４０２の第２の制御情報送受信部１４４または２４４においては、ノード４０３に対してパス設定情報の転送を行なう。
【００５４】
そして、ステップＳ３１８において、ノード４０２のＬＣＡＳ制御部１４３または２４３は、通信速度をＶＣ４−３ＶからＶＣ４−７Ｖに変更する。
ノード４０２からＨ４バイトを受信したノード４０３は、ステップＳ３１９において、第２の制御情報解析部１４４または２４４においてパス設定情報を抽出し、内容の解析を行い、その解析結果をＬＣＡＳ制御部１４３または２４３へ送信する。ここで、解析結果とは、パス状態の設定指示であること、自分（ノード４０３）は中継ノードであること、通信速度をＶＣ４−３ＶからＶＣ４−７Ｖに変更することである。そして、ノード４０３のＬＣＡＳ制御部１４３または２４３では、上記解析結果に従って、第１の制御情報送受信部１４１または２４１に対して、ノード４０４へのパス設定情報を挿入した上で中継する。
【００５５】
そして、ステップＳ３２０において、ノード４０３のＬＣＡＳ制御部１４３または２４３は、通信速度をＶＣ４−３ＶからＶＣ４−７Ｖに変更する。
次に、ステップＳ３２１において、ノード４０３からＨ４バイトを受信したノード４０４は、第１の制御情報解析部１４２または２４２において、パス設定情報を抽出し、内容の解析を行なう。解析結果をＬＣＡＳ制御部へ送信する。ここで、解析結果は、パス状態の設定指示であること、自分（ノード４０４）は最終ノードであること、通信速度をＶＣ４−３ＶからＶＣ４−７Ｖに変更することである。また、ノード４０４のＬＣＡＳ制御部１４３では、解析結果に従ってクロスコネクト部１２０および中継パス（ＶＣＡＴ）制御部１３１へパスの設定指示を行なうよう指令する。
【００５６】
そして、ステップＳ３２２において、ノード４０４のＬＣＡＳ制御部１４３または２４３は、通信速度をＶＣ４−３ＶからＶＣ４−７Ｖに変更する。
さらに、ノード４０４のＬＣＡＳ制御部１４３または２４３は、パス設定完了後、その結果の送信指示を第１の制御情報送受信部１４１または２４１に対して行い、ステップＳ３２３において、ノード４０４の第１の制御情報送受信部１４１または２４１が、パス設定完了の結果をＨ４バイトに挿入してノード４０３へ転送する。
【００５７】
ノード４０４からＨ４バイトを受信したノード４０３は、ステップＳ３２４において、受信したＨ４バイトに自装置（ノード４０３）のパス設定完了結果を追加して、ノード４０２に転送する。なお、ノード４０３のＬＣＡＳ制御部１４３では、例えばパケット化して転送し、ＬＣＡＳ制御部２４３では、Ｈ４バイトにて転送する。
ノード４０３からＨ４バイトまたはパケットを受信したノード４０２は、ステップＳ３２５において、自装置（ノード４０２）のパス設定完了結果を追加して、ノード４０１にＨ４バイトを転送する。
【００５８】
そして、ノード４０２からＨ４バイトを受信したノード４０１は、ステップＳ３２６において、第１の制御情報送受信部１４１または２４１においてパス設定完了結果を抽出し、第１の制御情報解析部１４２または２４２に転送し、ノード４０１の第１の制御情報解析部１４２または２４２は、各ノード（ノード４０２、４０３および４０４）からのパス設定結果を確認し、正常に完了したかか否を判定する。
【００５９】
最後に、ステップＳ３２７において、ノード４０１のＬＣＡＳ制御部１４２または２４２が、第１の制御情報解析部１４２または２４２からの判定結果を監視制御部２５０に通知すると、ノード４０１の監視制御部２５０は、ネットワークマネージメントシステム（ＮＭＳ）３００にパス変更の結果を通知する。
【００６０】
図４は、Ｈ４バイトの構造を示す図である。
上述の第１の実施の形態および第２の実施の形態で説明してきたＨ４バイトには、図４に示したようにReserveビットがある。これら第１の実施の形態および第２の実施の形態におけるＡＤＭ装置１００、２００あるいはノード４０１、４０２、４０３、４０４を特定するための装置ＩＤを示す情報、中継ノードを識別するための情報および終点ノードを識別するための情報は、このReserveビットを使用して転送する。
【００６１】
以上、本発明の実施の形態を、図面を参照しながら説明してきたが、本発明が適用されるＡＤＭ装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００６２】
また、図５に示したように、バス５０９に接続されたＣＰＵ５０１、ＲＯＭやＲＡＭのメモリ５０２、入力装置５０３、出力装置５０４、外部記録装置５０５、媒体駆動装置５０６、可搬記録媒体５１０、ネットワーク接続装置５０７で構成されるシステムでも実現できる。すなわち、前述してきた実施の形態のシステムを実現するソフトェアのプログラムコードを記録したＲＯＭやＲＡＭのメモリ５０２、外部記録装置５０５、可搬記録媒体５１０を、ＡＤＭ装置に供給し、そのＡＤＭ装置のコンピュータがプログラムコードを読み出し実行することによっても、達成されることは言うまでもない。
【００６３】
この場合、可搬記録媒体５１０等から読み出されたプログラムコード自体が本発明の新規な機能を実現することになり、そのプログラムコードを記録した可搬記録媒体５１０等は本発明を構成することになる。
【００６４】
プログラムコードを供給するための可搬記録媒体５１０としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置５０７（言い換えれば、通信回線）を介して記録した種々の記録媒体などを用いることができる。
【００６５】
また、図６に示すように、コンピュータ（情報処理装置）６００がメモリ６０１上に読み出したプログラムコードを実行することによって、前述した実施の形態の機能が実現される他、そのプログラムコードの指示に基づき、コンピュータ６００上で稼動しているＯＳなどが実際の処理の一部または全部を行ない、その処理によっても前述した実施の形態の機能が実現される。
【００６６】
さらに、可搬型記録媒体６１０から読み出されたプログラムコードやプログラム（データ）提供者から提供されたプログラム（データ）６２０が、コンピュータ６００に挿入された機能拡張ボードやコンピュータ６００に接続された機能拡張ユニットに備わるメモリ６０１に書き込まれた後、そのプログラムコードの指示に基づき、その機能拡張ボードや機能拡張ユニットに備わるＣＰＵなどが実際の処理の一部または全部を行ない、その処理によっても前述した実施の形態の機能が実現され得る。
【００６７】
すなわち、本発明は、以上に述べた実施の形態に限定されるものではなく、本発明の要旨を逸脱しない範囲内で種々の構成または形状を取ることができる。ここで、上述した実施の形態の特徴を列挙すると、以下の通りである。
【００６８】
（付記１）
第１の通信ネットワークを構成し、第２の通信ネットワークに接続した他のＡＤＭ装置と接続した、ＬＣＡＳ（Link Capacity Adjustment Scheme）機能実行可能なＡＤＭ装置であって、
上記他のＡＤＭ装置とＳＯＮＥＴまたはＳＤＨ接続するためのＳＯＮＥＴまたはＳＤＨインタフェースと、
上記ＳＯＮＥＴまたはＳＤＨインタフェースにおいて、ＰＯＨ（Path Over Head）のＨ４バイトを監視するＨ４バイト監視手段と、
上記Ｈ４バイト監視手段によって監視したＨ４バイトからＬＣＡＳ制御情報を取得するＬＣＡＳ制御情報取得手段と、
上記ＬＣＡＳ制御情報取得手段によって取得したＬＣＡＳ制御情報を上記他のＡＤＭ装置へ送信するＬＣＡＳ制御情報送信手段と、
を備えることを特徴とするＡＤＭ装置。
（付記２）
上記ＬＣＡＳ制御情報送信手段による上記ＬＣＡＳ制御情報の送信のオンオフを制御するオンオフ手段をさらに備えることを特徴とする付記１に記載のＡＤＭ装置。
（付記３）
第１の通信ネットワークを構成し、第２の通信ネットワークに接続した他のＡＤＭ装置と接続した、ＬＣＡＳ機能実行可能なＡＤＭ装置であって、
上記他のＡＤＭ装置とイーサネット（登録商標）接続するためのイーサネット（登録商標）インタフェースと、
上記イーサネット（登録商標）インタフェースにおいて、上記他のＡＤＭ装置から送信されたＨ４バイト内のＬＣＡＳ制御情報を終端した後、上記ＬＣＡＳ制御情報を上記他のＡＤＭ装置へ転送するＬＣＡＳ制御情報転送手段と、
を備えることを特徴とするＡＤＭ装置。
（付記４）
上記ＬＣＡＳ制御情報は、上記第１のネットワークおよび上記第２のネットワークを構成する上記他のＡＤＭ装置および上記ＡＤＭ装置のうち、始点となるＡＤＭ装置を特定するための始点装置ＩＤおよび終点となるＡＤＭ装置を特定するための終点装置ＩＤを含むことを特徴とする付記１乃至３の何れか１項に記載のＡＤＭ装置。
（付記５）
第１の通信ネットワークを構成し、第２の通信ネットワークに接続した他のＡＤＭ装置と接続した、ＬＣＡＳ機能実行可能なＡＤＭ装置において実行される信号伝送方法であって、
上記他のＡＤＭ装置とＳＤＨ接続するためのＳＤＨインタフェースにおいて、ＰＯＨのＨ４バイトを監視し、
上記監視したＨ４バイトからＬＣＡＳ制御情報を取得し、
上記取得したＬＣＡＳ制御情報を上記他のＡＤＭ装置へ送信することを特徴とする信号伝送方法。
（付記６）
第１の通信ネットワークを構成し、第２の通信ネットワークに接続した他のＡＤＭ装置と接続した、ＬＣＡＳ機能実行可能なＡＤＭ装置において実行される信号伝送方法であって、
上記他のＡＤＭ装置とイーサネット（登録商標）接続するためのイーサネット（登録商標）インタフェースにおいて、上記他のＡＤＭ装置から送信されたＨ４バイト内のＬＣＡＳ制御情報を終端した後、上記ＬＣＡＳ制御情報を上記他のＡＤＭ装置へ転送することを特徴とする信号伝送方法。
【図面の簡単な説明】
【００６９】
【図１】本発明を適用した第１の実施の形態におけるＡＤＭ装置の構成を示す図である。
【図２】本発明を適用した第２の実施の形態におけるＡＤＭ装置の構成を示す図である。
【図３】本発明を適用した第１および第２の実施の形態における信号伝送処理のシーケンスを示す図である。
【図４】Ｈ４バイトの構造を示す図である。
【図５】本発明におけるＡＤＭ装置の構成を示す図である。
【図６】本発明における信号伝送プログラムのコンピュータへのローディングを説明するための図である。
【図７】従来のＡＤＭシステムにおけるＬＣＡＳ機能の動作状況を説明するための図である。
【符号の説明】
【００７０】
１００  ＡＤＭ装置
１１０  ＳＤＨ信号処理部
１１１  ＳＴＭ処理部
１１２  ＶＣパス処理部
１２０  クロスコネクト部
１３０  イーサネット（登録商標）信号処理部
１３１  中継パス（ＶＣＡＴ）制御部
１３２  イーサネット（登録商標）信号送受信部
１４０  ＬＣＡＳ処理部
１４１  第１の制御情報送受信部
１４２  第１の制御情報解析部
１４３  ＬＣＡＳ制御部
１４４  第２の制御情報送受信部
１４５  第２の制御情報解析部
１５０  監視制御部
２００  ＡＤＭ装置
２１０  ＳＤＨ信号処理部
２１１  ＳＴＭ処理部
２１２  ＶＣパス処理部
２２０  クロスコネクト部
２３０  ＳＤＨ信号処理部
２３１  ＶＣパス処理部
２３２  ＳＴＭ処理部部
２４０  ＬＣＡＳ処理部
２４１  第１の制御情報送受信部
２４２  第１の制御情報解析部
２４３  ＬＣＡＳ制御部
２４４  第２の制御情報送受信部
２４５  第２の制御情報解析部
２５０  監視制御部
３００  ネットワークマネージメントシステム（ＮＭＳ）
４０１  ノード
４０２  ノード
４０３  ノード
４０４  ノード
５０１  ＣＰＵ
５０２  メモリ
５０３  入力装置
５０４  出力装置
５０５  外部記録装置
５０６  媒体駆動装置
５０７  ネットワーク接続装置
５０９  バス
５１０  可搬記録媒体
６００  コンピュータ
６０１  メモリ
６１０  可搬記録媒体
６２０  プログラム（データ）
【図１】
2006262237.tif 000003
【図２】
2006262237.tif 000004
【図３】
2006262237.tif 000005
【図５】
2006262237.tif 000006
【図６】
2006262237.tif 000007
【図７】
2006262237.tif 000008
【図４】
2006262237.tif 000009